(57)【特許請求の範囲】
【請求項１】
液晶層を挟んで対向する一対の基板を備えた液晶表示装置と、前記液晶表示装置の表示光を出射する側の面に重ねて配置される入力操作位置を検出する入力装置と、を有する入力装置付き液晶表示装置において、
前記一対の基板のうちの一方の基板に形成される共通電極と、
前記共通電極の表面上に絶縁膜を介して形成され、長辺と短辺とを有する複数の略四角形のスリットを有する画素電極と、
前記液晶層を挟み、前記画素電極の上と、前記一対の基板のうちの他方の基板の前記液晶層側に形成される配向膜と、
を備え、
前記スリットが、平面的に見て、当該スリットの長辺の傾斜角度が、前記画素電極の短手方向に沿った中心線に対して５度より大きく、かつ８５度よりも小さい状態、または、９５度より大きく、かつ１７５度よりも小さい状態のいずれか一方の範囲にあるとともに、前記配向膜のラビング軸に対し、０度よりも大きく、かつ５度以下であるとき、
当該スリットは、当該スリットの端部と、前記画素電極の長手方向に沿った端辺との距離を２μｍ以上とし、前記スリットの端部における前記スリットの短辺と長辺との成す角度が、４０度よりも大きく、かつ９０度以下になるように形成される、
入力装置付き液晶表示装置。
【請求項２】
前記スリットの端部と、前記スリットの端部に対応する前記画素電極の端辺との距離が３μｍまたは４μｍのとき、前記スリットの端部における前記スリットの短辺と長辺との成す角度を、４０度以上９０度未満とする、
請求項１に記載の入力装置付き液晶表示装置。
【請求項３】
前記スリットの端部と、前記スリットの端部に対応する前記画素電極の端辺との距離が２μｍのとき、前記スリットの端部における前記スリットの短辺と長辺との成す角度を、略直角とする、
請求項１に記載の入力装置付き液晶表示装置。
【請求項４】
請求項１〜３のいずれか１項に記載の入力装置付き液晶表示装置を備えた電子機器。
【発明の詳細な説明】
【技術分野】
【０００１】
本発明は、入力装置付き液晶表示装置および電子機器に関し、特に、一方の基板に２つの電極を有し、一方の電極にスリットが設けられた液晶表示装置を備えた入力装置付き液晶表示装置および電子機器に関する。
【背景技術】
【０００２】
従来、一方の基板に２つの電極を有し、２つの電極のうち一方の電極にスリットが設けられ、２つの電極の間に基板に対して略水平方向の電界を発生し、この電界により液晶を駆動するＩＰＳ（Ｉｎ−Ｐｌａｎｅ−Ｓｗｉｔｃｈｉｎｇ）方式やＦＦＳ（Ｆｒｉｎｇｅ−Ｆｉｅｌｄ−Ｓｗｉｔｃｈｉｎｇ）方式などの横電界方式の液晶表示装置を備えた入力装置付き液晶表示装置が知られている（たとえば、特許文献１参照）。
【０００３】
上記特許文献１に記載の液晶表示装置では、一方の基板上に形成された共通電極（対向
電極）の上方に画素電極が配置されている。画素電極には、平面的に見て、ゲート線に対
して所定の角度傾斜するようにスリットが複数設けられている。そして、画素電極には、
スリットの延びる方向に対して直交する方向に、略横方向（基板の表面と略平行な方向）
の電界が発生し、この電界によって液晶が駆動（回転）される。
【０００４】
【特許文献１】特開２００５―１０７５３５号公報
【発明の開示】
【発明が解決しようとする課題】
【０００５】
上記のような画素電極にスリットが形成された横電界方式の１つであるＦＦＳ（Ｆｒｉ
ｎｇｅ−Ｆｉｅｌｄ−Ｓｗｉｔｃｈｉｎｇ）方式の液晶表示装置では、画素電極および共
通電極間に電圧を印加した際に、スリットに対して直交する方向に電界が発生する。この
ため、スリットの中央部分における電界の方向はスリットの長辺と直交する方向になる一
方、スリットの端部における電界の方向はスリットの短辺と直交する方向になるため、ス
リットの端部における液晶分子が、スリットの中央部分における液晶分子とは反対方向に
駆動（回転）する場合がある。その結果、スリットの端部における領域において配向不良
が発生する場合がある。そして、このような配向不良が発生した際に表示画面部上をなぞ
るなどの外力が加えられた場合、なぞった跡が消えることなく表示画面部上に残ってしま
うという問題がある。これは、配向不良を起こしている液晶分子（通常とは反対に回転し
ている液晶分子）上をなぞることによって、なぞられた領域の液晶分子が外力により次々
と配向不良を起こし、その後も配向が元の状態に戻らない領域が残ると考えられる。
【０００６】
この発明は、上記のような課題を解決するためになされたものであり、この発明の１つの目的は、表示画面部に加えられた外力の跡が残るのを抑制することが可能な入力装置付き液晶表示装置および電子機器を提供することである。
【課題を解決するための手段および発明の効果】
【０００７】
本願発明者は、上記課題を解決するために鋭意検討した結果、スリットの端部と画素電極の端辺との距離を大きくすることにより、「表示画面部に加えられた外力の跡が残るのを抑制することが可能」であることを見出した。すなわち、この発明の第１の局面による入力装置付き液晶表示装置は、液晶層を挟んで対向する一対の基板を備えた液晶表示装置と、液晶表示装置の表示光を出射する側の面に重ねて配置される入力操作位置を検出する入力装置と、を有する入力装置付き液晶表示装置において、一対の基板のうちの一方の基板に形成される共通電極と、共通電極の表面上に絶縁膜を介して形成され、長辺と短辺とを有する複数の略四角形のスリットを有する画素電極と、液晶層を挟み、画素電極の上と、一対の基板のうちの他方の基板の液晶層側に形成される配向膜と、を備え、スリットが、平面的に見て、当該スリットの長辺の傾斜角度が、画素電極の短手方向に沿った中心線に対して５度より大きく、かつ８５度よりも小さい状態、または、９５度より大きく、かつ１７５度よりも小さい状態のいずれか一方の範囲にあるとともに、配向膜のラビング軸に対し、０度よりも大きく、かつ５度以下であるとき、当該スリットは、当該スリットの端部と、画素電極の長手方向に沿った端辺との距離を２μｍ以上とし、スリットの端部におけるスリットの短辺と長辺との成す角度が、４０度よりも大きく、かつ９０度以下になるように形成される。
【０００８】
この第１の局面による入力装置付き液晶表示装置では、上記のように、画素電極におけるスリットの端部と、スリットの端部に対応する画素電極の端辺との距離が２μｍ以上、設定することによって、表示画面部に加えた外力の跡が残るのを抑制することができる。なお、この効果については、後述する実験結果により検証済みである。
【０００９】
上記第１の局面による入力装置付き液晶表示装置において、好ましくは、スリットの端部と、スリットの端部に対応する画素電極の端辺との距離が３μｍまたは４μｍのとき、スリットの端部におけるスリットの短辺と長辺との成す角度を、４０度以上９０度未満とする。このようにスリットの短辺と長辺との成す角度が４０度以上９０度未満の場合には、スリットの端部と、スリットの端部に対応する画素電極の端辺との距離を３μｍまたは４μｍになるように形成した場合において、表示画面部に外力を加えた際に発生する外力の跡が残るのを確実に抑制することができる。
【００１０】
上記第１の局面による入力装置付き液晶表示装置において、好ましくは、スリットの端部と、スリットの端部に対応する画素電極の端辺との距離が２μｍのとき、スリットの端部におけるスリットの短辺と長辺との成す角度を、略直角とする。このようにスリットの短辺と長辺との成す角度を略直角にすれば、スリットの端部と、スリットの端部に対応する画素電極の端辺との距離を２μｍになるように形成した場合であっても、表示画面部に外力を加えた場合に発生する外力の跡が残るのを確実に抑制することができる。
【００１５】
この発明の第２の局面による電子機器は、請求項１〜３に記載の入力装置付き液晶表示装置を備える。このように構成すれば、ユーザによる情報の入力時に入力装置に加えた押圧の跡が表示画面部に残るのを抑制することが可能な電子機器を得ることができる。
【発明を実施するための最良の形態】
【００１６】
以下、本発明の実施形態を図面に基づいて説明する。
【００１７】
図１は、本発明の一実施形態による液晶表示装置の全体構成を示すブロック図である。
図２〜図５は、本発明の一実施形態による液晶表示装置の詳細な構成を説明するための図
である。まず、図１〜図５を参照して、本発明の一実施形態による液晶表示装置１００の
構成について説明する。なお、本実施形態では、横電界を用いるＦＦＳ（Ｆｒｉｎｇｅ−
Ｆｉｅｌｄ−Ｓｗｉｔｃｈｉｎｇ）モード方式の液晶表示装置１００に本発明を適用した
場合について説明する。
【００１８】
本実施形態による液晶表示装置１００は、図１に示すように、表示画面部１と、駆動Ｉ
Ｃ２と、Ｖドライバ３と、Ｈドライバ４と、バックライト５と、ＣＯＭ６とを備えている
。表示画面部１には、複数の副画素１ａ（サブピクセル）がマトリックス状に配置されて
いる。また、副画素１ａは、それぞれ、赤（Ｒ）、緑（Ｇ）および青（Ｂ）の色に対応し
ているとともに、ＲＧＢの各色に対応する３つの副画素１ａにより１画素１ｂ（１ピクセ
ル）が構成されている。なお、図１は、図面の簡略化のために１画素分の画素１ｂを図示
している。
【００１９】
駆動ＩＣ２は、液晶表示装置１００全体を駆動するための機能を有する。Ｖドライバ３
およびＨドライバ４には、それぞれ、複数のゲート線３ａおよび信号線４ａが接続されて
いる。また、ゲート線３ａおよび信号線４ａは、互いに直交するように配置されている。
Ｖドライバ３は、ゲート線３ａの駆動回路としての機能を有する。また、Ｈドライバ４は
、信号線４ａを介して、後述する画素電極１ｄに映像信号を順次供給する機能を有する。
また、バックライト５は、画素１ａの透過領域の光源として構成されている。ＣＯＭ６は
、後述する共通電極１ｅの電位を制御する機能を有する。
【００２０】
また、図１および図２に示すように、各副画素１ｂは、画素トランジスタ１ｃ（ＴＦＴ
）と、画素電極１ｄと、共通電極１ｅと、保持容量１ｆとにより構成されている。画素ト
ランジスタ１ｃのドレイン領域Ｄは、信号線４ａに接続されているとともに、画素トラン
ジスタ１ｃのソース領域Ｓは、画素電極１ｄと保持容量１ｆの一方の電極とに接続されて
いる。また、画素トランジスタ１ｃのゲートＧは、ゲート線３ａに接続されている。また
、共通電極１ｅと保持容量１ｆの他方の電極とは、それぞれ、ＣＯＭ６に接続されている
。
【００２１】
また、図３に示すように、画素電極１ｄおよび共通電極１ｅは、ともに一方基板１０に
形成されている。具体的には、一方基板１０上に共通電極１ｅが形成されているとともに
、共通電極１ｅの上方に絶縁膜１１を介して画素電極１ｄが形成されている。また、一方
基板１０に対向するように他方基板２０が形成されているとともに、一方基板１０と他方
基板２０とに挟まれる領域には液晶１２が充填されている。また、画素電極１ｄおよび絶
縁膜１１の表面と、他方基板２０の液晶１２に接触する側の表面とをそれぞれ覆うように
配向膜（図示せず）が設けられている。以上の構成により、画素電極１ｄおよび共通電極
１ｅ間に電圧を印加した場合に、図４に示すように、画素電極１ｄおよび共通電極１ｅ間
において電界が発生するとともに、この電界のうちの一方基板１０および他方基板２０の
表面に対して平行な方向の成分により液晶１２が回転する（図２の矢印Ｒ方向）ように構
成されている。
【００２２】
ここで、本実施形態では、図５に示すように、画素電極１ｄには、平面的に見て画素電
極１ｄの短手方向に沿った中心線３０に対して所定の角度傾斜するように、複数のスリッ
ト１ｇが設けられている。具体的には、これらのスリット１ｇは、画素電極１ｄの短手方
向に沿った中心線３０に対する傾斜角度ηが、５度＜η＜８５度、および、９５度＜η＜
１７５度のいずれか一方になるように形成されている。また、配向膜（図示せず）には、
図５に示す矢印Ａ方向にラビング処理が施されている。具体的には、ラビング軸とスリッ
ト１ｇの長辺との成す角度φが、０度＜φ≦５度になるように形成されている。
【００２３】
また、本実施形態では、スリット１ｇの最外端部と、スリット１ｇの最外端部に対応す
る画素電極１ｄの端辺との距離Ｘが実寸法で２μｍ以上になるように設定されている。具
体的には、距離Ｘが実寸法で２μｍ、３μｍおよび４μｍのうちのいずれかの長さになる
ように構成されている。また、距離Ｘが実寸法で３μｍまたは４μｍになるように形成さ
れる場合には、スリット１ｇの端部におけるスリット１ｇの短辺と長辺との成す角度θ（
先端角）が、４０度以上９０度以下になるように構成されている。また、距離Ｘが実寸法
で２μｍになるようにスリット１ｇが形成される場合には、スリット１ｇの端部における
先端角θが略直角になるように構成されている。また、この場合、図６〜図８に示すよう
に、先端角θが増加するのに伴って、スリット１ｇの開口面積が減少するように形成され
ている。なお、距離Ｘの実寸法は、マスク設計時における寸法よりも約１μｍ小さくなる
。
【００２４】
次に、上記した実施形態における液晶表示装置１００において、外力により表示画面部
１になぞった跡が残る現象が抑制されることを確認するために行った実験について説明す
る。この実験では、上記した実施形態に対応する実施例１〜実施例９と、比較例１〜比較
例３とを作製した。具体的には、図９に示すように、実施例１、実施例２および３におけ
る画素電極１ｄを、先端角θ（図５参照）が４０度で、かつ、距離Ｘが、それぞれ実寸法
で２μｍ、３μｍおよび４μｍ（マスク寸法で３μｍ、４μｍおよび５μｍ）になるよう
に作製した。同様に、実施例４、実施例５および６における画素電極１ｄを、先端角θが
６５度で、かつ、距離Ｘが、それぞれ実寸法で２μｍ、３μｍおよび４μｍ（マスク寸法
で３μｍ、４μｍおよび５μｍ）になるように作製した。また、実施例７、実施例８およ
び９における画素電極１ｄを、先端角θが９０度で、かつ、距離Ｘがそれぞれ実寸法で２
、３および４μｍ（マスク寸法で３μｍ、４μｍおよび５μｍ）になるように作製した。
また、比較例１〜比較例３における画素電極を、距離Ｘを実寸法で１μｍで、かつ、先端
角θがそれぞれ４０度、６５度および９０度になるように作製した。なお、比較例１〜比
較例３、および、実施例１〜実施例９において、ラビング軸に対するスリット１ｇの傾斜
角度φは、５度になるように作製した。また、実施例１〜実施例９、および、比較例１〜
比較例３における実験結果として、表示画面部１に外力の跡が残らない（表示画面部１が
元通りに復元される）度合いを「×」、「△」、「○」および「◎」により記した。具体
的には、「×」は、外力の跡が残ったまま復元されない状態を示す。「△」は、実用上問
題はないが、外力の跡がうっすらと残っている状態を示している。「○」は、外力の跡が
ほとんど残らなかった状態を示している。「◎」は、外力の跡が全く残らなかった状態を
示している。
【００２５】
まず、先端角θを４０度に形成した場合について比較検証する。比較例１の画素電極を
備えた液晶表示装置においては、表示画面部をなぞった際には、なぞった跡が戻ることな
く残ったまま（図９では「×」で表示）であった。また、実施例１の画素電極１ｄを備え
た液晶表示装置１００では、表示画面部１の表面におけるなぞった跡は、略元の状態に復
元されたが若干残る程度（図９では「△」で表示）であった。これに対して、実施例２お
よび実施例３の画素電極１ｄを備えた液晶表示装置１００では、表示画面部１の表面にお
けるなぞった跡は、即座に復元されて全く残らなかった（図９では「◎」で表示）。
【００２６】
次に、先端角θを６５度に形成した場合について比較検証する。比較例２の画素電極を
備えた液晶表示装置においては、表示画面部をなぞった際には、上記と同様になぞった跡
が戻ることなく残ったまま（図９では「×」で表示）であった。また、実施例４の画素電
極１ｄを備えた液晶表示装置１００では、表示画面部１の表面におけるなぞった跡は、略
元の状態に復元されたが若干残る程度（図９では「△」で表示）であった。これに対して
、実施例５および６の画素電極１ｄを備えた液晶表示装置１００では、表示画面部１の表
面におけるなぞった跡は、即座に復元されて全く残らなかった（図９では「◎」で表示）
。
【００２７】
次に、先端角θを９０度に形成した場合について比較検証する。比較例３の画素電極を
備えた液晶表示装置においては、表示画面部をなぞった際には、上記比較例と同様になぞ
った跡が戻ることなく残ったまま（図９では「×」で表示）であった。これに対して、実
施例７の画素電極１ｄを備えた液晶表示装置１００では、上記実施例１および４よりもさ
らになぞった跡は残らなかった（図９では「○」で表示）。また、実施例８および９の画
素電極１ｄを備えた液晶表示装置１００では、表示画面部１の表面におけるなぞった跡は
即座に復元されて全く残らなかった（図９では「◎」で表示）。
【００２８】
また、先端角θが同じ大きさで、距離Ｘが異なる場合（比較例１、実施例１、２および
３）においては、距離Ｘが大きくなるほど透過率が下がる。これは、距離Ｘが大きい分、
スリット１ｇの開口面積が小さくなるために、その分、透過率が下がる結果となる。これ
は、比較例２、実施例４、実施例５および実施例６を比較する場合と、比較例３、実施例
７、実施例８および実施例９を比較する場合とにおいても同様である。
【００２９】
また、距離Ｘが同じ長さで、先端角θが異なる大きさである場合（実施例１、実施例４
および実施例７である場合）においては、先端角θが大きくなるほど透過率が下がる。こ
れも上記と同様に、先端角θが大きい分、スリット１ｇの開口面積が小さくなるために、
その分、透過率が下がる結果となる。これも、比較例１、比較例２および比較例３を比較
する場合と、実施例２、実施例５および実施例８を比較する場合と、実施例３、実施例６
および実施例９を比較する場合とにおいても同様である。また、このとき、距離Ｘを一定
にしたまま先端角θを大きくした場合、透過率は低下する一方で、なぞった跡の復元の度
合いは大きくなった。これは、先端角θを大きくすることにより、それまでは配向不良が
発生していた領域がスリット１ｇの開口部分となることによって配向不良が発生しなくな
るためであると考えられる。
【００３０】
以上により、距離Ｘが実寸法で１μｍになるように設定した比較例１〜３においては、
表示画面部に外力による跡が残ったままで復元しなかったのに対して、距離Ｘが実寸法で
２μｍ以上になるように設定した実施例１〜９においては、実用上問題ないほど復元した
ことから、距離Ｘを２μｍ以上に設定することによって外力による跡が残るのを抑制する
ことが可能であることが判明した。
【００３１】
また、先端角度θを変化させずに距離Ｘのみを変化させた場合、先端角θがいずれの角
度であっても距離Ｘが大きくなるほど外力による跡の復元度合いはより良好になったこと
から、距離Ｘが大きいほど外力による跡の復元力が大きいことが判明した。また、距離Ｘ
を変化させずに先端角θのみを変化させた場合、先端角θが４０度および６５度に設定さ
れた際（実施例１および実施例４）には「△」の状態であった一方で、先端角θが９０度
に設定された際には「○」の状態であった。これにより、先端角θが大きくなるほど外力
による跡の復元度合いが大きいことが判明した。
【００３２】
本実施形態では、上記のように、スリット１ｇの最外端部と、スリット１ｇの最外端部
に対応する画素電極１ｄの端辺との距離Ｘを実寸法で２μｍ以上になるように設定するこ
とによって、上記の実験結果に基づいて、表示画面部１に外力を加えた際に発生する外力
の跡が残るのを確実に抑制することができる。
【００３３】
また、上記実施形態では、距離Ｘが実寸法で３μｍ以上であり、スリットの最外端部に
おけるスリットの短辺と長辺との成す先端角θを４０度以上９０度未満に設定することに
よって、上記の実験結果に基づいて、表示画面部１に外力を加えた際に発生する外力の跡
が残るのを確実に抑制することができる。
【００３４】
また、上記実施形態では、距離Ｘが実寸法で２μｍ以上であり、かつ、先端角θを略直
角に設定することによって、距離Ｘを実寸法で２μｍになるように形成する場合であって
も、表示画面部１に外力を加えた場合に発生する外力の跡が残るのを確実に抑制すること
ができる。
【００３５】
また、上記実施形態では、先端角θの増加に伴って、スリット１ｇの開口面積が減少よ
うに構成することによって、スリット１ｇの先端角θを所定角度よりも小さくすることに
より、スリット１ｇの開口面積の減少をある程度抑制しながら表示画面部１に外力を加え
た場合に発生する外力の跡が残るのを抑制することができる。
【００３６】
また、上記実施形態では、ラビング軸に対するスリット１ｇの傾斜角度φを、０度より
も大きく、かつ５度以下になるように設定することによって、距離Ｘを２μｍ以上になる
ように形成した際に、表示画面部に外力の跡が残るのを抑制することができる。
【００３７】
また、上記実施形態では、画素電極１ｄの短手方向に沿った中心線３０と、画素電極１
ｄのスリット１ｇとの成す角度ηを、５度＜η＜８５度、および、９５度＜η＜１７５度
のいずれか一方になるように設定することによって、距離Ｘを２μｍ以上になるように形
成した際に、表示画面部に外力の跡が残るのを抑制することができる。
【００３８】
本発明の一実施形態による液晶表示装置１００は、図１０に示すように、入力装置付き
液晶表示装置２００などに用いることが可能である。具体的には、入力装置付き表示装置
２００は、本発明における液晶表示装置１００と、この液晶表示装置１００において表示
光を出射する側の面に空気層を介さないように重ねて配置されたパネル状の静電容量型入
力装置１５０（タッチパネル）とを有している。液晶表示装置１００における一方基板１
０および他方基板２０の、それぞれ液晶１２に接触していない側の表面には偏光板１０ａ
および２０ａが形成されている。そして、他方基板２０に形成された偏光版２０ａの表面
には、支持基板１５０ａおよび透光性基板１５０ｂが形成されている。また、透光性基板
１５０ｂの表面上には、ユーザによる押圧により情報の入力が可能な入力領域１５０ｃが
形成されている。また、はみ出し領域２００ａには、フレキシブルプリント基板１６０ａ
および１６０ｂが接続されている。
【００３９】
上記のように、入力装置付き液晶表示装置２００では、入力装置が液晶表示装置１００
に空気層を介さないように直接配置されているため、全体に薄くすることが可能で、空気
層との界面による不要な反射光を防ぐことができるが、ユーザによる情報の入力時に入力
装置に加えた押圧が液晶表示装置に伝えられることとなる。これに対して、本発明におけ
る液晶表示装置１００を入力装置付き液晶表示装置２００に適用することにより、ユーザ
による情報の入力時の押圧の跡が表示画面部１に残るのを抑制することができる。
【００４０】
また、本発明の一実施形態による液晶表示装置１００は、図１１および図１２に示すよ
うに、携帯電話３００およびＰＣ（パーソナルコンピュータ）４００などに用いることが
可能である。なお、携帯電話３００およびＰＣ４００は、それぞれ、本発明における「電
子機器」の一例である。図１１の携帯電話３００においては、表示画面３００ａに本発明
の一実施形態における液晶表示装置１００が用いられる。また、図１２のＰＣ４００にお
いては、キーボード４００ａなどの入力部および表示画面４００ｂなどに用いることが可
能である。この場合、本発明における液晶表示装置１００を携帯電話３００に適用するこ
とにより、ユーザによって表示画面３００ａが押圧された際に、押圧の跡が表示画面３０
０ａに残るのを抑制できる。また、同様に、本発明における液晶表示装置１００をＰＣ４
００に適用することにより、ユーザが情報の入力時にキーボード４００ａを使用する際、
および、ユーザによって表示画面４００ｂが押圧された際において、押圧の跡がキーボー
ド４００ａおよび表示画面４００ｂに残るのを抑制できる。また、周辺回路を液晶パネル
内の基板に内蔵することにより部品点数を大幅に減らすとともに、装置本体の軽量化およ
び小型化を行うことが可能になる。また、携帯電話３００およびＰＣ４００に、上記入力
装置付き液晶表示装置２００を適用することも可能である。
【００４１】
また、本発明の一実施形態による液晶表示装置１００を用いた入力装置付き液晶表示装
置２００は、図１３に示すように、情報携帯端末（ＰＤＡ（Ｐｅｒｓｏｎａｌ  Ｄｉｇｉ
ｔａｌ  Ａｓｓｉｓｔａｎｔｓ））５００などに用いることが可能である。なお、情報携
帯端末５００は、本発明の「電子機器」の一例である。情報携帯端末５００は、複数の操
作ボタン５００ａ、電源スイッチ５００ｂおよび表示ユニットとしての入力装置付き液晶
表示装置２００を備える。電源スイッチ５００ｂを操作すると、住所録およびスケジュー
ル帳といった各種の情報が入力装置付き表示装置２００に表示される。そして、表示ユニ
ットである入力装置付き液晶表示装置２００に対して押圧を加えることにより操作するよ
うに構成されている。
【００４２】
なお、入力装置付き表示装置２００が適用される電子機器としては、上記に示したもの
の他に、デジタルスチルカメラ、液晶テレビ、ビューファインダ型およびモニタ直視型の
ビデオテープレコーダ、カーナビゲーション装置、ページャ、電子手帳、電卓、ワードプ
ロセッサ、ワークステーション、テレビ電話、ＰＯＳ端末およびタッチパネルを備えた機
器などが挙げられる。
【００４３】
なお、今回開示された実施形態は、すべての点で例示であって制限的なものではないと
考えられるべきである。本発明の範囲は、上記した実施形態の説明ではなく特許請求の範
囲によって示され、さらに特許請求の範囲と均等の意味および範囲内でのすべての変更が
含まれる。
【００４４】
たとえば、上記実施形態では、ＦＦＳモードによる横電界モードに本発明を適用する例
を示したが、本発明はこれに限らず、ＩＰＳ（Ｉｎ−Ｐｌａｎｅ−Ｓｗｉｃｈｉｎｇ）モ
ードなど、ＦＦＳモード以外の横電界モードにも適用可能である。
【図面の簡単な説明】
【００４５】
【図１】本発明の一実施形態による液晶表示装置の全体構成を示すブロック図である。
【図２】本発明の一実施形態による液晶表示装置の画素部分について説明するための平面図である。
【図３】本発明の一実施形態による液晶表示装置の断面図である。
【図４】本発明の一実施形態による液晶表示装置の断面図である。
【図５】本発明の一実施形態による液晶表示装置の画素電極の構造を説明するための平面図である。
【図６】本発明の一実施形態による液晶表示装置における実験の実施例１、実施例２および実施例３の形状を説明するための図である。
【図７】本発明の一実施形態による液晶表示装置における実験の実施例４、実施例５および実施例６の形状を説明するための図である。
【図８】本発明の一実施形態による液晶表示装置における実験の実施例７、実施例８および実施例９の形状を説明するための図である。
【図９】本発明の一実施形態による液晶表示装置における実験結果を示す図である。
【図１０】本発明の一実施形態による液晶表示装置を備えた入力装置付き液晶表示装置について説明するための図である。
【図１１】本発明の一実施形態による液晶表示装置を備えた電子機器について説明するための図である。
【図１２】本発明の一実施形態による液晶表示装置を備えた電子機器について説明するための図である。
【図１３】本発明の一実施形態による液晶表示装置を備えた入力装置付き液晶表示装置を適用した電子機器について説明するための図である。
【符号の説明】
【００４６】
１          表示画面部
１ｄ        画素電極
１ｅ        共通電極
１ｇ        スリット
１１        絶縁膜
３０        中心線
１００      液晶表示装置
２００      入力装置付き液晶表示装置
３００      携帯電話（電子機器）
４００      ＰＣ（電子機器）
５００      情報携帯端末（電子機器）
【図１】
0005121513.tif 000002
【図２】
0005121513.tif 000003
【図３】
0005121513.tif 000004
【図４】
0005121513.tif 000005
【図５】
0005121513.tif 000006
【図６】
0005121513.tif 000007
【図７】
0005121513.tif 000008
【図８】
0005121513.tif 000009
【図９】
0005121513.tif 000010
【図１０】
0005121513.tif 000011
【図１１】
0005121513.tif 000012
【図１２】
0005121513.tif 000013
【図１３】
0005121513.tif 000014